(57)【要約】      （修正有）【課題】入浴者にとって邪魔にならず、立上りや出入りの際にしっかりと体を安定させることが可能な浴槽を提供する。【解決手段】一対の長辺側壁１と一対の短辺側壁２と底板３とからなる浴槽において、長辺側壁１の上端部には、人の手でつかむためのリム４が形成されており、リムの外側には、人の手の指が嵌る把持用凹部２０が長辺側壁の長手方向に沿って形成されている。把持用凹部２０は、上面部と奥面部と下面部とが連続した板材で形成されており、上面部には人の手の指が引っ掛る複数個の溝が把持用凹部の長手方向に沿って形成されている。浴槽に入るときも出るときも、長辺側壁の上端部にあるリム４をつかめるが、このとき、把持用凹部に指を入れられるので、手に力を入れやすくなり体を安定させることができる。浴槽への手入りが容易に行え、転倒も予防できる。【選択図】図１
0003201917.tif 000002
【実用新案登録請求の範囲】
【請求項１】
一対の長辺側壁と一対の短辺側壁と底板とからなる浴槽において、
前記一対の長辺側壁の上端部には、人の手でつかむためのリムが形成されており、
前記リムの外側には、人の手の指が嵌る把持用凹部が前記長辺側壁の長手方向に沿って形成されている
ことを特徴とする浴槽。
【請求項２】
前記把持用凹部は、上面部と奥面部と下面部とが連続した板材で形成されており、前記上面部には人の手の指を引っ掛る複数個の溝が該把持用凹部の長手方向に沿って形成されている
ことを特徴とする請求項１記載の浴槽。
【請求項３】
前記上面部は、外端面から奥に向って下傾しており、
前記下面部は、奥から外端面に向って下傾している
ことを特徴とする請求項２記載の浴槽。
【考案の詳細な説明】
【技術分野】
【０００１】
本考案は、浴槽に関する。さらに詳しくは、介護用や一般家庭用の浴槽であって、出入を容易にし転倒などを防止しやすい浴槽に関する。
【背景技術】
【０００２】
浴槽は一般家庭用でも、健常者のほか体力の弱った老人も利用する。また、介護用でも真に介護の必要とする人の外ほとんど自力で入浴できる人も利用する。この場合、少しでも自分の力を利用できると本人の自信につながるし、介護の手間も省けることになる。しかしながら、全て自力で入浴したり、あるいは部分的にしろ自力を使う場合、浴槽への出入りの際に体を安定させ、転倒などの事故が生じないようにしなければならない。
【０００３】
このような目的から手すりを取付けた浴槽も提案されている（特許文献１参照）。
この従来技術における手すりは、浴槽の一方の短辺側に装着し、浴槽の上面を横断するように張り出した棒状のものである。入浴者は必要に応じ、両手で手すりを握るとつかまり立ちをすることができる。
【０００４】
しかるに、上記従来技術のように、手すりが浴槽上面に張り出していると、入浴者が立ち上ったり出入りするときに体と干渉して邪魔になりやすい等の問題がある。
また、人と手すりが離れていると邪魔にはなりにくいが、浴槽に入っている人が出ようとするとき、体を寄せていって手すりをつかむようにしないと、つかめないという面倒さがある。
【先行技術文献】
【特許文献】
【０００５】
【特許文献１】特開２０００−２１７７３１号公報
【考案の概要】
【考案が解決しようとする課題】
【０００６】
本考案は上記事情に鑑み、入浴者にとって邪魔にならず、立上りや出入れの際にしっかりと体を安定させることが可能な浴槽を提供することを目的とする。
【課題を解決するための手段】
【０００７】
第１考案の浴槽は、一対の長辺側壁と一対の短辺側壁と底板とからなる浴槽において、前記一対の長辺側壁の上端部には、人の手でつかむためのリムが形成されており、前記リムの外側には、人の手の指が嵌る把持用凹部が前記長辺側壁の長手方向に沿って形成されていることを特徴とする。
第２考案の浴槽は、第１考案において、前記把持用凹部は、上面部と奥面部と下面部とが連続した板材で形成されており、前記上面部には人の手の指を引っ掛る複数個の溝が該把持用凹部の長手方向に沿って形成されていることを特徴とする。
第３考案の浴槽は、第２考案において、前記上面部は、外端面から奥に向って下傾しており、前記下面部は、奥から外端面に向って下傾していることを特徴とする。
【考案の効果】
【０００８】
第１考案によれば、浴槽に入るときも出るときも、長辺側壁の上端部にあるリムをつかめるが、このとき、把持用凹部に指を入れられるので、手に力を入れやすくなり体を安定させることができる。このため、浴槽内での立ち上りや浴槽への手入りが容易に行え、転倒も予防できる。しかも、浴槽の上面には入浴者の体に干渉するような邪魔物が何もないので、浴槽を広々と使うことができる。
第２考案によれば、浴槽のリムを手でつかんだとき、手の指が把持用凹部内の上面にある溝に引っ掛かるので、手が湯でぬれていてもしっかりとつかめ滑ることがない。このため、力を入れやすく立ち上りがより容易になり、転倒防止効果も高くなる。
第３考案によれば、把持用凹部の上面部が奥に向って下傾しているので、人の手でつかみやすく、下面部が奥から外端に向って下傾しているので、湯水が排水されやすく。把持用凹部をつかんだとき手が滑りにくくなる。
【図面の簡単な説明】
【０００９】
【図１】本発明の一実施形態に係る浴槽の平面図である。
【図２】図１の浴槽の側面図である。
【図３】図２のIII−III線断面図である。
【図４】（Ａ）は把持用凹部の拡大断面図、（Ｂ）は溝の側面図である。
【考案を実施するための形態】
【００１０】
つぎに、本考案の実施形態を図面に基づき説明する。
図１から図３に基づき、浴槽Ａの基本構造を説明する。
浴槽Ａは公知のものと基本構造は同じであって、一対の長辺側壁１、１と、一対の短辺側壁２、２と、それらに連続した底辺３とからなる。
長辺側壁１、１と短辺側壁２、２の上端部はリム４に形成されている。長辺側壁１、１のリム４は人の手でつかめる幅をもつが、短辺側壁２、２のリム４はより広幅に形成されている。
これらの構成材料は公知のＦＲＰである。
【００１１】
底板３の適所には排出口５が形成され、リム４の適所には排水栓の開閉用押ボタン６が形成されている。
長辺側壁１、１における長手方向の片側には内側へ膨出した膨出部７が形成されており、それには背もたれを差し込む背もたれ溝８が形成されている。この膨出部７と背もたれ溝８は任意であって、これらを有しないものも本発明に含まれる。
【００１２】
図３に示すように、長辺側壁１は内側板１１と外側板１２とから構成されている。内側板１１は前記底板３に連続する板材であり、側壁を構成すると共に、上端部は折り曲げ形状になってリム４を構成している。
外側板１２は概ね直立した板で上端は内側板１１の上端（リム４の外端）に接続されており、下端は浴槽Ａの下端まで延びている。
【００１３】
内側板１１と外側板１２との間には、取外しタイプの補強材（クリップボード）１３が強固に固定されている。
【００１４】
リム４の外側には把持用凹部２０が形成されている。この把持用凹部２０はリム４を人の手でつかんだとき、手の指が嵌る大きさと形状の凹所である。
また、この把持用凹部２０は、図２に示すように、長辺側壁１の両端部を除く全長にわたって形成され、長辺側壁１の長手方向に沿っている。
【００１５】
図４に示すリム４の幅ｗは４０〜６０ｍｍ、好ましくは４５〜５５ｍｍであり、最も好ましくは５０ｍｍである。リム４の上端から把持用凹部２０の上端までの寸法ｈは２０〜４０ｍｍ、好ましくは２５〜３５ｍｍであり、最も好ましくは３０ｍｍである。この寸法であると、大人の手ならしっかりとつかむことができる。しかも、把持用凹部２０は、長辺側壁１のほぼ全長にわたって形成されているため、利用者が浴槽Ａ内のどの位置で、どちら向きに座っていても、腕を自然に伸ばして、リム４をつかむことができる。
【００１６】
図４に基づき把持用凹部２０の詳細を説明する。把持用凹部２０は、上面部２１と奥面部２２と下面部２３とが連続した板材で形成されており、上面部２１には人の手の指を引っ掛る複数個の溝２４が把持用凹部２０の長手方向に沿って形成されている。溝２４の曲率半径は６ｍｍ〜８ｍｍ位で、手の指がなじむ大きさとなっている。
溝２４の幅ｄ１は１０〜２０ｍｍ位で、好ましくは１４〜１６ｍｍ位、最も好ましくは１５ｍｍである。また、溝２４と溝２４の間の非溝部２５は幅ｄ２が５〜９ｍｍ位で、好ましくは６〜８ｍｍ、最も好ましくは７ｍｍである。このような寸法であると、多くの人の手でしっかりとつかむことができる。
【００１７】
上記の寸法であると、浴槽のリム４を手でつかんだとき、手の指が把持用凹部２０内の上面にある溝２４に引っ掛かるので、手が湯でぬれていてもしっかりとつかめ滑ることがない。このため、力を入れやすく立ち上りがより容易になり、転倒防止効果も高くなる。
【００１８】
把持用凹部２０の上面部２１は、外端面から奥に向って下傾しており、奥面部２２は垂直であり、下面部２３は、奥から外端面に向って下傾している。
上面部２１の下傾角度θ１は７〜１７°位であり好ましくは１０〜１４°、最も好ましくは１２°である。この角度であると、多くの人の手でしっかりとつかむことができる。
下面部２３の下傾角度θ２は、２０〜６０°であり、好ましくは、３０〜５０°、最も好ましくは４０°である。この角度であると、手から滴下した水分を早く排出することができる。
【００１９】
上記のように、把持用凹部２０の上面部２１が奥に向って下傾しているので、人の手でつかみやすく、また、下面部２３が奥から外端に向って下傾しているので、湯水が排水されやすく。把持用凹部をつかんだとき手が滑りにくくなる。
【００２０】
本実施形態の浴槽Ａによれば、浴槽Ａに入るときも出るときも、長辺側壁１の上端部にあるリム４をつかめるが、このとき、把持用凹部２０に指を入れられるので、手に力を入れやすくなり体を安定させることができる。このため、浴槽Ａ内での立ち上りや浴槽Ａへの手入りが容易に行え、転倒も予防できる。しかも、浴槽Ａの上面には入浴者の体に干渉するような邪魔物が何もないので、浴槽を広々と使うことができる。
【符号の説明】
【００２１】
１  長辺側壁
２  短辺側壁
４  リム
２０  把持用凹部
２１  上面部
２３  下面部
２４  溝
【図１】
0003201917.tif 000003
【図２】
0003201917.tif 000004
【図３】
0003201917.tif 000005
【図４】
0003201917.tif 000006